(57)【特許請求の範囲】
【請求項１】
四周状のドア枠と、扉体と、からなるドア装置の防水構造であって、
前記ドア枠には、室外側に向かって開口する四周状の溝部が形成されており、
前記溝部は、外側辺と内側辺と底辺とからなり、前記外側辺は、閉鎖姿勢の扉体の上面部、戸先側面部、戸尻側面部、下面部に近接対向する前記ドア枠の面部の部分から形成されており、
前記溝部には、当該溝部に装着される基部と、中空状の膨出部と、を備えた弾性の水密部材が四周状に装着されており、
閉鎖姿勢の扉体の室内側面部が前記膨出部に接触するようになっており、
前記弾性水密部材の一部あるいは全部は、前記基部から前記膨出部の中空部内に突出する中実の台座を備えており、前記台座の先端は前記溝部を形成する前記内側辺の先端よりも室外側に位置しており、
前記中実の台座を備えた弾性水密部材の前記膨出部の外面において、前記ドア枠の前記面部に対向する部位には、フィンが突成されており、前記フィンは前記ドア枠の前記面部に接触している、
ドア装置の防水構造。
【請求項２】
閉鎖姿勢の扉体において、当該扉体に室内側への押圧力が作用しない状態では、前記扉体の室内側面部が前記膨出部の外面に接触する一方、前記膨出部の内面と前記台座とは離間しており、前記膨出部の外面と前記ドア枠の前記面部は離間し、前記フィンは前記ドア枠の前記面部に接触しており、
前記閉鎖姿勢の扉体に室内側への押圧力が作用した時には、潰れるように変形した前記膨出部の内面が前記台座に当接し、前記台座によって内面から支持された前記膨出部の外面に前記室内側面部が密着し、前記フィンは前記ドア枠の前記面部に接触している、
請求項１に記載のドア装置の防水構造。
【請求項３】
押圧力が作用した時に、前記台座の突出姿勢が維持され、前記台座は前記溝部の開口よりも室外側に位置して前記膨出部の内面に当接する、
請求項２に記載のドア装置の防水構造。
【請求項４】
前記基部は、前記溝部の前記内側辺に対向する第１側面部分と、前記外側辺に対向する第２側面部分と、前記第１側面部分及び第２側面部分のそれぞれから室外側に向かって断面視傾斜状に延びる複数のフィンと、を備え、
前記弾性水密部材が前記溝部に装着される前の状態において、前記膨出部の外面に突成されたフィンの先端は、前記基部の第２側面部分に形成された複数のフィンの先端を通る平面と略同じ位置に位置している、
請求項１〜３いずれか１項に記載のドア装置の防水構造。
【請求項５】
前記基部には中空部が形成されており、前記中空部は、前記台座の室内側に位置して当該台座の見付幅内に納まる幅寸法を有している、
請求項１〜４いずれか１項に記載のドア装置の防水構造。
【発明の詳細な説明】
【技術分野】
【０００１】
本発明は、ドア装置の防水構造に関するものである。
【背景技術】
【０００２】
気密性が要求されるドア装置では、ドア枠に四周状の溝部を形成すると共に、当該四周状の溝部には、四周状の水密部材を装着してなり、開口部閉鎖時には、扉体の室内側の四周の周縁の角部が水密部材を押圧することで、気密性を確保している（図１５参照）。図１６に示すように、水密部材３´は、溝部に装着される基部４´と、中空状の膨出部５´と、を備えている。
【０００３】
しかしながら、扉体によって閉鎖された建物開口部に水圧が作用した場合、この水圧でドア枠に取り付けられた水密部材３´が変形するが、中空状の膨出部５´の中空部が完全に潰れるものではないため水密状態が不安定であり、扉体の室内側面部２１´と水密部材３´の接触部に隙間が生じ、密閉状態を保持できなくなって、建物内部へ浸水が発生するおそれがある。
【０００４】
特許文献１に示すように、四周状の水密部材を二重に形成することも考えられるが、扉体及びドア枠の構造が複雑になり、コストの上昇を招くことになってしまう。
【特許文献１】特開２０１４−１０９１６９
【発明の開示】
【発明が解決しようとする課題】
【０００５】
本発明は、簡易な構造でありながら、閉鎖姿勢の扉体に大きな水圧が作用した場合にも耐え得るドア装置の防水構造を提供することを目的とするものである。
【課題を解決するための手段】
【０００６】
本発明が採用した技術手段は、
四周状のドア枠と、扉体と、からなるドア装置の防水構造であって、
前記ドア枠には、室外側に向かって開口する四周状の溝部が形成されており、
前記溝部には、当該溝部に装着される基部と、中空状の膨出部と、を備えた弾性の水密部材が四周状に装着されており、
閉鎖姿勢の扉体の室内側面部が前記膨出部に接触するようになっており、
前記弾性水密部材の一部あるいは全部は、前記基部から前記膨出部の中空部内に突出する中実の台座を備えている、
ドア装置の防水構造、である。
好ましい態様では、四周状の水密部材の全長に亘って台座が設けてあるが、例えば、下端の水平状の水密部材、戸先側及び戸尻側の垂直状の水密部材の下端から所定高さ（例えば、想定水位）に亘ってのみ台座を設けたものでもよい。
典型的な態様では、前記水密部材は水密ゴム部材である。
【０００７】
１つの態様では、閉鎖姿勢の扉体において、当該扉体に室内側への押圧力が作用しない状態では、前記扉体の室内側面部が前記膨出部に接触する一方、前記膨出部の内面と前記台座とは離間しており、
前記閉鎖姿勢の扉体に室内側への押圧力が作用した時には、潰れるように変形した前記膨出部の内面が前記台座に当接し、前記台座によって内面から支持された前記膨出部の外面に前記室内側面部が密着するようになっている。
１つの態様では、押圧力が作用した時に、前記台座の突出姿勢が維持され、前記台座は前記溝部の開口よりも室外側に位置して前記膨出部の内面に当接する。
【０００８】
１つの態様では、前記膨出部の外面にはフィンが突成されており、前記フィンは前記ドア枠に接触している。
１つの態様では、前記四周状の溝部の少なくとも下側の戸先側コーナー部、戸尻側コーナー部に装着される水密部材は、垂直部分と水平部分とからＬ形状に形成された要素であり、前記垂直部分と前記水平部分は傾斜面同士を接着することで一体化されている。
【０００９】
本発明が採用した他の技術手段は、
四周状のドア枠と、扉体と、からなるドア装置の防水構造であって、
前記扉体の室内側面部の周縁には室内側に向かって開口する四周状の溝部が形成されており、
前記溝部には、当該溝部に装着される基部と、中空状の膨出部と、を備えた弾性の水密部材が四周状に装着されており、
扉体の閉鎖姿勢において、前記膨出部が前記四周状のドア枠の面部に接触するようになっており、
前記弾性水密部材の一部あるいは全部は、前記基部から前記膨出部の中空部内に突出する中実の台座を備えている、
ドア装置の防水構造、である。
【発明の効果】
【００１０】
本発明は、水密部材の膨出部の中空部に中実の台座を設けるという簡易な構造でありながら、閉鎖姿勢の扉体に室内側への押圧力が作用した時には、潰れるように変形した膨出部の内面が前記台座に当接し、前記台座によって内面から支持された前記膨出部の外面に扉体の室内側面部が密着することで水密構造を得ることができ、例えば津波や洪水により大きな水圧が作用する可能性のある現場での使用に耐え得る防水構造を備えたドア装置を提供することができる。
【図面の簡単な説明】
【００１１】
【図１】本実施形態に係るドア装置（全閉状態）を室外側から見た正面図である。
【図２】本実施形態に係るドア装置（全閉状態）を室内側から見た正面図である。
【図３】本実施形態に係るドア装置（全閉状態）の縦断面図である。
【図４】本実施形態に係るドア装置（全閉状態）の横断面図である。
【図５】水密部材の断面図である。
【図６】図４の戸先側部位を拡大して示す図であり、溝部に装着された水密部材を示す。
【図７】四周状の水密部材を示す正面図である。
【図８】図７の水密部材の下側のコーナー部を形成する要素を示す図である。
【図９】図７の水密部材を形成する複数の要素の接続を示す図である。
【図１０】図３の状態において、室外側から室内側に向けて扉体が押圧された状態を示す縦断面図である。
【図１１】図４の状態において、室外側から室内側に向けて扉体が押圧された状態を示す横断面図である。
【図１２】図１１の戸先側部位を拡大して示す図であり、溝部に装着された水密部材が潰れて変形した状態を示す。
【図１３】他の実施形態に係るドア装置（全閉状態）の縦断面図である。
【図１４】他の実施形態に係るドア装置（全閉状態）の横断面図である。
【図１５】従来のドア装置の構成を示す図である。
【図１６】図６に類似する図であり、従来のドア装置の水密部材を示す。
【発明を実施するための形態】
【００１２】
本発明の実施形態を図面に基づいて説明する。図１は、本実施形態に係るドア装置（全閉状態）を室外側から見た正面図、図２は、当該ドア装置を室内側から見た正面図である。図３、図４は、それぞれ、本実施形態に係るドア装置（全閉状態）の縦断面図、横断面図である。図１〜図４に示すように、ドア装置は、建物開口部を形成するドア枠１と、ドア枠１に回動可能に装着されており、当該ドア枠１を開閉する扉体２と、からなる。図３において、左側が室外側、右側が室内側であり、図４において、下側が室外側、上側が室内側である。本明細書において、「室外側」、「室内側」は、ある要素が実際に室外側、室内側に位置する場合を規定するのみならず、ある要素の部位や部分を規定することにも用いられ、例えば、実際に室内側に位置する要素において室外側に近い部位を規定することに用いられる。
【００１３】
開き戸である扉体２は、縦長方形状の室外側面部２０と、縦長方形状の室内側面部２１と、上面部２２と、戸先側面部２３と、戸尻側面部２４と、下面部２５と、を備えている。図示の態様では、扉体２の室外側面部２０、室内側面部２１、戸先側面部２３、戸尻側面部２４は垂直面であり、上面部２２は水平面であり、下面部２５は下向き凹状となっている。扉体２の室外側面部２０及び室内側面部２１の戸先側にはハンドル２６が装着されており、扉体２の室外側面部２０の戸尻側とドア枠１の戸尻側縦枠１２には扉体２をドア枠１に対して回動可能に取り付けるための丁番２７が設けてある。扉体２の室内側面部２１の上方にはドアクローザ２８が設けてある。ハンドル２６に加えて、あるいは、代えて、グレモンハンドルを設けてもよい。図示の態様では、丁番２７としていわゆる二軸丁番を採用しており、閉鎖状態にある扉体２を全体として（戸先側及び戸尻側）、室内側に向かって押し込む（水圧や押圧手段による押圧）ことが可能となっており、通常の閉鎖姿勢にある扉体２を押し込んで、より密閉した状態で扉体２を閉鎖できるようになっている。なお、本発明が適用されるドア装置は、片開き戸のみならず両開き戸も含む。
【００１４】
扉体２は、内部にフレーム構造（骨組）を備えている。フレーム構造は、水平状に延びる上フレーム７０、垂直状に延びる戸先側縦フレーム７１、垂直状に延びる戸尻側縦フレーム７２、水平状に延びる下フレーム７３を四周枠状に連結（溶接）すると共に、垂直状に延び、上フレーム７０と下フレーム７３間に連結した中間フレーム７４を備えている。扉体２の下面部２５は、下フレーム７３から形成されている。扉体２の表面、具体的には、室外側面部２０、室内側面部２１、上面部２２、戸先側面部２３、戸尻側面部２４は、金属製板材（鋼板）を所定形状に折り曲げて形成した複数枚の金属製表面材を上記フレーム構造に張設することで形成される。扉体２の上面部２２、戸先側面部２３、戸尻側面部２４、下面部２５、室外側面部２０の四周縁、室内側面部２１の四周縁は、いずれもフレーム構造によって支持されており、強い力が作用しても耐え得るように構成されている。
【００１５】
ドア枠１は、水平状に延びる上枠１０と、垂直状に延びる戸先側縦枠１１と、垂直状に延びる戸尻側縦枠１２と、水平状に延びる下枠１３と、から四周枠状に形成されている。ドア枠１には、室外側に向かって開口する凹状の溝部Ｇ１、Ｇ２、Ｇ３、Ｇ４が四周状に形成されている。以下、各枠の構成について詳述する。
【００１６】
上枠１０は、開口幅方向に延びる長尺要素であり、図３に示すように、垂直状の室外側面部１００と、垂直状の室内側面部１０１と、室外側面部１００の下端から室内側へ向かって水平状に延びる室外側水平面１０２と、垂直状の室内側面部１０１の下端から室外側へ向かって水平状に延びる室内側水平面１０３と、を備える。室内側面部１０１の下端は、室外側面部１００の下端よりも下方に位置しており、室内側水平面１０３は、室外側水平面１０２よりも下方に位置している。室外側水平面１０２の室内側部位１０２０と、室内側水平面１０３の室外側部位１０３０は上下（開口高方向）に離間して対向している。室外側水平面１０２は、全閉姿勢にある扉体２の上面部２２の上側に位置して、上面部２２に近接対向するように延び、室内側部位１０２０は、全閉姿勢にある扉体２の上面部２２を超えて、扉体２の室内側面部２１より室内側に延びている。上枠１０は、室外側水平面１０２の室内側端部から室内側水平面１０３へと垂下する底面１０４を備えており、室内側水平面１０３の室外側部位１０３０は、底面１０４を超えて室外側へ延びている。室外側水平面１０２の室内側部位１０２０と、室内側水平面１０３の室外側部位１０３０と、底面１０４と、から、凹状の溝部Ｇ１が形成されている。溝部Ｇ１は、開口幅方向に水平状に延びる。
【００１７】
下枠１３は、開口幅方向に延びる長尺要素であり、図３に示すように、垂直状の室外側面部１３０と、垂直状の室内側面部１３１と、室外側面部１３０の上端から室内側へ向かって上向き傾斜状に延びる室外側傾斜面１３２と、垂直状の室内側面部１３１の上端から室外側へ向かって水平状に延びる室内側水平面１３３と、を備える。室内側面部１３１の上端は、室外側面部１３０の上端よりも上方に位置しており、室内側水平面１３３は、室外側傾斜面１３２よりも上方に位置している。室外側傾斜面１３２の室内側部位１３２０と、室内側水平面１３３の室外側部位１３３０は上下（開口高方向）に離間して対向している。室外側傾斜面１３２は、全閉姿勢にある扉体２の下面部２５の下側に位置して、下面部２５に対向するように延び、室内側部位１３２０は、全閉姿勢にある扉体２の下面部２５を超えて、扉体２の室内側面部２１より室内側に延びている。下枠１３は、室外側傾斜面１３２の室内側端部から室内側水平面１３３へと垂直状に立ち上がる底面１３４を備えており、室内側水平面１３３の室外側部位１３３０は、底面１３４を超えて室外側へ延びている。室外側傾斜面１３２の室内側部位１３２０と、室内側水平面１３３の室外側部位１３３０と、底面１３４と、から凹状の溝部Ｇ４が形成されている。溝部Ｇ４は、開口幅方向に水平状に延びる。
【００１８】
戸先側縦枠１１は、開口高方向に延びる長尺要素であり、図４に示すように、左右方向（開口幅方向）に延びる室外側面部１１０と、左右方向（開口幅方向）に延びる室内側面部１１１と、室外側面部１１０の右側端部（開口幅中央寄り端部）から室内側へ向かって延びる室外側見込面１１２と、室内側面部１１１の右側端部（開口幅中央寄り端部）から室外側へ向かって延びる室内側見込面１１３と、を備える。室内側面部１１１の右側端部（開口幅中央寄り端部）は、室外側面部１１０の右側端部（開口幅中央寄り端部）よりも右側（開口幅中央寄り）に位置しており、室内側見込面１１３は、室外側見込面１１２よりも右側（開口幅中央寄り）に位置している。室外側見込面１１２の室内側部位１１２０と、室内側見込面１１３の室外側部位１１３０は左右（開口幅方向）に離間して対向している。室外側見込面１１２は、全閉姿勢にある扉体２の戸先側面部２３に近接対向するように延び、室内側部位１１２０は、全閉姿勢にある扉体２の戸先側面部２３を超えて、扉体２の室内側面部２１より室内側に延びている。戸先側縦枠１１は、室外側見込面１１２の室内側端部から室内側見込面１１３へと見付方向（開口幅方向）に延びる底面１１４を備えており、室内側見込面１１３の室外側部位１１３０は、底面１１４を超えて室外側へ延びている。室外側見込面１１２の室内側部位１１２０と、室内側見込面１１３の室外側部位１１３０と、底面１１４と、から凹状の溝部Ｇ２が形成されている。溝部Ｇ２は、開口高方向に垂直状に延びる。
【００１９】
戸尻側縦枠１２は、開口高方向に延びる長尺要素であり、図４に示すように、左右方向（開口幅方向）に延びる室外側面部１２０と、左右方向（開口幅方向）に延びる室内側面部１２１と、室外側面部１２０の左側端部（開口幅中央寄り端部）から室内側へ向かって延びる室外側見込面１２２と、室内側面部１２１の左側端部（開口幅中央寄り端部）から室外側へ向かって延びる室内側見込面１２３と、を備える。室内側面部１２１の左側端部（開口幅中央寄り端部）は、室外側面部１２０の左側端部（開口幅中央寄り端部）よりも左側（開口幅中央寄り）に位置しており、室内側見込面１２３は、室外側見込面１２２よりも左側（開口幅中央寄り）に位置している。室外側見込面１２２の室内側部位１２２０と、室内側見込面１２３の室外側部位１２３０は左右（開口幅方向）に離間して対向している。室外側見込面１２２は、全閉姿勢にある扉体２の戸尻側面部２４に近接対向するように延び、室内側部位１２２０は、全閉姿勢にある扉体２の戸尻側面部２４を超えて、扉体２の室内側面部２１より室内側に延びている。戸尻側縦枠１２は、室外側見込面１２２の室内側端部から室内側見込面１２３へと見付方向（開口幅方向）に延びる底面１２４を備えており、室内側見込面１２３の室外側部位１２３０は、底面１２４を超えて室外側へ延びている。室外側見込面１２２の室内側部位１２２０と、室内側見込面１２３の室外側部位１２３０と、底面１２４と、から凹状の溝部Ｇ３が形成されている。溝部Ｇ３は、開口高方向に垂直状に延びる。
【００２０】
四周状の溝部Ｇ１〜Ｇ４には、四周状の溝部全長に亘って弾性を備えた水密部材３が装着されている。典型的な実施形態では、水密部材３は、ゴムから形成された水密ゴムである。図５、図６に示すように、水密部材３は、溝部Ｇ１〜Ｇ４に挿入される基部４と、中空状の膨出部５と、基部４から膨出部５の中空部に突成された中実の台座６と、を備えている。基部４、膨出部５、台座６は共に溝部Ｇ１〜Ｇ４の長さに沿って延びる長尺状要素である。
【００２１】
基部４は、正面部分４００と、底面部分４０１と、第１側面部分４０２と、第２側面部分４０３、とから断面視方形状を備えた本体４０を有する。図５において、上側が正面部分４００、下側が底面部分４０１、左側が第１側面部分４０２、右側が第２側面部分４０３である。基部４は、さらに、本体４０の第１側面部分４０２、第２側面部分４０３から正面方向に向かって傾斜状に延びる複数のフィン４１と、本体４０に形成された中空部４２と、底面部分４０１に剥離可能に設けた第２調整底部４３、第２調整底部４３に剥離可能に設けた第１調整底部４４と、を備えている。
【００２２】
基部４は、水密部材３を溝部Ｇ１〜Ｇ４に装着する時に、溝部Ｇ１〜Ｇ４内に押し入れられる部位であり、フィン４１は押し入れる際のガイドの機能を持っており、また、中空部４２を備えた本体４０が押し入れ時に変形することで押し込みの作業性が良好である。より具体的には、溝部Ｇ１において、第１側面部位４０２に突成されたフィン４１は、室内側水平面１０３の室外側部位１０３０に接触し、第２側面部位４０３に突成されたフィン４１は、室外側水平面１０２の室内側部位１０２０に接触し、第１調整底部４４は、底面１０４に当接しており（図３参照）、溝部Ｇ２において、第１側面部位４０２に突成されたフィン４１は、室内側見込面１１３の室外側部位１１３０に接触し、第２側面部位４０３に突成されたフィン４１は、室外側見込面１１２の室内側部位１１２０に接触し、第１調整底部４４は、底面１１４に当接しており（図４参照）、溝部Ｇ３において、第１側面部位４０２に突成されたフィン４１は、室内側見込面１２３の室外側部位１２３０に接触し、第２側面部位４０３に突成されたフィン４１は、室外側見込面１２２の室内側部位１２２０に接触し、第１調整底部４４は、底面１２４に当接しており（図４参照）、溝部Ｇ４において、第１側面部位４０２に突成されたフィン４１は、室内側水平面１３３の室外側部位１３３０に接触し、第２側面部位４０３に突成されたフィン４１は、室外側傾斜面１３２の室内側部位１３２０に接触し、第１調整底部４４は、底面１３４に当接している（図３参照）。なお、基部４の第１調整底部４４を剥離した場合には、第２調整底部４３が底面１０４、１１４、１２４、１３４に当接し、第２調整底部４３を剥離した場合には、底面部分４０１が底面１０４、１１４、１２４、１３４に当接する。
【００２３】
膨出部５は、概ね円筒状の部位を形成する断面視円形状の壁部５０と、壁部５０の内側に形成された中空部５１と、壁部５０の外面の所定部位から突成するフィン５２と、から形成されている。膨出部５は、基部４及び台座６よりも柔軟性の大きいスポンジゴムから形成されており、潰れやすくなっている。
【００２４】
膨出部の壁部５０は、正面部分５００と、第１側面部分５０１と、第２側面部分５０２と、からなる。正面部分５００、第１側面部分５０１、第２側面部分５０２は、外力が作用しない状態では弧状ないし弓状の形状を有しており、正面部分５００、第１側面部分５０１、第２側面部分５０２が連続状に一体形成されて概ね円筒状の壁部５０を形成している。より具体的には、第１側面部分５０１の基端は本体４０の正面部分４００の一端部（本体４０の第１側面部分４０２寄り部位）に接続されており、第２側面部分５０２の基端は本体４０の正面部分４００の他端部（本体４０の第２側面部分４０３寄り部位）に接続されており、第１側面部分５０１の先端は正面部分５００の一端に接続されており、第２側面部分５０２の先端は正面部分５００の他端に接続されている。
【００２５】
フィン５２は、正面部分５００と第２側面部分５０２との境界付近から法線方向に突成されており、フィン５２の先端は、本体４０の第２側面部分４０３に形成された複数（図示では２つ）のフィン４１の先端を通る平面に近接するように延びている。フィン５２は、水密部材３を溝部Ｇ１〜Ｇ４に装着した時に、第２側面部分４０３に形成されたフィン４１が接触する面（室外側水平面１０２、室外側見込面１１２、室外側見込面１２２、室外側傾斜面１３２）に接触ないし近接している。より具体的には、溝部Ｇ１において、フィン５２は、室外側水平面１０２に接触し（図３参照）、溝部Ｇ２において、フィン５２は、室外側見込面１１２に接触し（図４参照）、溝部Ｇ３において、フィン５２は、室外側見込面１２２に接触し（図４参照）、溝部Ｇ４において、フィン５２は、室外側傾斜面１３２に接触している（図３参照）。扉体２が通常の閉鎖姿勢にある時には、フィン５２は、室外側水平面１０２、室外側見込面１１２、室外側見込面１２２、室外側傾斜面１３２上において、扉体２の室内側面部２１を通る平面上あるいは当該平面よりも僅かに室外側に位置する部位に接触している。フィン５２は、膨出部５と、室外側水平面１０２、室外側見込面１１２、室外側見込面１２２、室外側傾斜面１３２と、の間から溝部Ｇ１〜Ｇ４の内部への浸水を抑制する作用を有する。
【００２６】
基部４の前面（本体４０の正面部分４００）において、膨出部５の中空部５１に面する部位には、膨出部５の中空部５１に突成する中実の台座６が一体形成されている。台座６は、断面視において方形ないし台形状を有しており、正面部分６０と、第１側面部分６１と、第２側面部分６２と、を備えている。
【００２７】
図３〜図６に示すように、外力が作用しない状態では、壁部５０の内面と台座６は中空部５１を介して空間的に離間している。より具体的には、図５に示すように、台座６の正面部分６０と壁部５０の正面部分５００の内面とは離間対向しており、台座６の第１側面部分６１と壁部５０の第１側面部分５０１の内面とは離間すると共に、第１側面部分６１の下端と第１側面部分５０１の下端の内面は一致しており、台座６の第２側面部分６２と壁部５０の第２側面部分５０２の内面とは離間すると共に、第２側面部分６２の下端と第２側面部分５０２の下端の内面は一致している。
【００２８】
台座６は、長尺状のゴム要素であるが、所定の幅寸法（正面部分６０の幅寸法）を備えた中実のゴム要素であり、台座６の正面部分６０に押圧力が作用した場合には、突出寸法がある程度は圧縮するものの、突出寸法が短縮した場合であっても突出姿勢が維持される（図１２参照）。
【００２９】
水密部材３は、溝部Ｇ１〜Ｇ４の長さに沿って延びる長尺部材であり、上枠１０に形成された溝部Ｇ１、戸先側縦枠１１に形成された溝部Ｇ２、戸尻側縦枠１２に形成された溝部Ｇ３、下枠１３に形成された溝部Ｇ４内の全長に亘って四周状に装着されている。図７に四周状の水密部材を示す。図７に示す態様では、四周状の水密部材は、溝部Ｇ１内に装着され、溝部Ｇ１の略全長に亘って延びる第１要素３Ａと、溝部Ｇ２内に装着され、溝部Ｇ２の全高に比べて短尺の第２要素３Ｂと、溝部Ｇ３内に装着され、溝部Ｇ３の全高に比べて短尺の第３要素３Ｃと、溝部Ｇ４内に装着され、溝部Ｇ４の長さに比べて短尺の第４要素３Ｄと、第１部分３Ｆと第２部分３ＧとからＬ形状に形成された２つの第５要素３Ｅと、からなる。第１要素３Ａ〜第５要素３Ｅは、図６に示すように、基部４、膨出部５、台座６を備えており、同一の断面形状を有している。
【００３０】
図８に示す態様では、第５要素３Ｅは、同じ長さ寸法の第１部分３Ｆと第２部分３Ｇから形成されている。第１部分３Ｆの第１端部（下端）は傾斜面（図示の態様では４５°）となっており、第２端部（上端）は水平面となっている。第２部分３Ｇの第１端部（右端）は傾斜面（図示の態様では４５°）となっており、第２端部（左端）は水平面となっている。第１部分３Ｆの第１端部（傾斜面）と第２部分３Ｇの第１端部（傾斜面）を突き当てて、接着剤で接着することで、Ｌ形状の第５要素３Ｅが形成される。水密部材３を複数の要素３Ａ〜３Ｅで構成することで、例えば、水密部材３予め四周状に一体形成した場合に比べて、ドア枠１の製作誤差の影響を受けずに、水密部材３を現場で容易に取り付けることができる。
【００３１】
図７に示す四周状の水密部材は、現場において、溝部Ｇ１に第１要素３Ａを装着し、第１要素３Ａの長さ方向両端部を、それぞれ、溝部Ｇ２、Ｇ３にそれぞれ装着した第２要素３Ｂ、第３要素３Ｃの上端部位に突き当て、溝部Ｇ２の下端部位と溝部Ｇ４の左端部位のコーナー部に第５要素３Ｅを装着し、第５要素３Ｅの第１部分３Ｆの端部と第２要素３Ｂの下端を接着剤で接着し、溝部Ｇ４に装着した第４要素３Ｄの左側端部と、第５要素３Ｅの第２部分３Ｇの端部を接着剤で接着し、溝部Ｇ３の下端部位と溝部Ｇ４の右端部位のコーナー部に第５要素３Ｅを装着し、第５要素３Ｅの第１部分３Ｆの端部と第３要素３Ｃの下端を接着剤で接着し、溝部Ｇ４に装着した第４要素３Ｄの右側端部と、第５要素３Ｅの第２部分３Ｇの端部を接着剤で接着することで得られる。
【００３２】
図７に示す態様では、２つの第５要素３Ｅを用いたが、４つの第５要素３Ｅを用意して、４つの各コーナー部に第５要素３Ｅを装着するようにしてもよい。本実施形態では、四周状の水密部材を形成する各要素を接着剤で接着することで、接続部から漏水が無いようにしているが、各要素の端部同士を隙間が生じないように溶着することで接続してもよい。
【００３３】
四周状の溝部（Ｇ１〜Ｇ４）は、全体として見た時に、室外側から見た正面視四周状で室内外方向に延びる外側辺（室外側水平面１０２の室内側部位１０２０、室外側見込面１１２の室内側部位１１２０、室外側見込面１２２の室内側部位１２２０、室外側傾斜面１３２の室内側部位１３２０）と、四周状の外側辺の内側に位置し、室外側から見た正面視四周状で室内外方向に延びる内側辺（室内側水平面１０３の室外側部位１０３０、室内側見込面１１３の室外側部位１１３０、室内側見込面１２３の室外側部位１２３０、室内側水平面１３３の室外側部位１３３０）と、外側辺と内側辺の室内側端部を接続する底辺（底面１０４、底面１１４、底面１２４、底面１３４）と、から形成されており、外側辺と内側辺と底辺とから断面視凹状の溝部となっている。そして、四周状の水密部材（３Ａ〜３Ｅ）は、基部４を外側辺と内側辺との間に押し入れることで、フィン４１が外側辺及び内側辺の内面に接触した状態で溝部（Ｇ１〜Ｇ４）に装着され、膨出部５は、溝部（Ｇ１〜Ｇ４）の外側（室外側）に位置しており、膨出部５に形成されたフィン５２は、溝部（Ｇ１〜Ｇ４）の外側（室外側）に位置して、外側辺（室外側水平面１０２、室外側見込面１１２、室外側見込面１２２、室外側傾斜面１３２）に接触ないし近接している。
【００３４】
図３、図４、図６に示すように、扉体２の通常の閉鎖姿勢時には、扉体２の室内側面部２１の四周縁が、四周状の水密部材３の膨出部５に軽く接触した状態であり、台座６と膨出部５の壁部５０の内面は離間している。図６を参照して詳細に説明すると、扉体２の室内側面部２１の戸先側部位が、水密部材３の膨出部５の壁部５０の正面部分５００に軽く接触しており、膨出部５が僅かに潰れて変形している。図示の態様では、第１側面部分５０１は、室内側見込面１１３の室外側部位１１３０に対して離間しており、第２側面部分５０２は、室外側見込面１１２に対して離間しており、フィン５２は、その先端が室外側見込面１１２に軽く接触している。
【００３５】
通常の閉鎖姿勢にある扉体２に室外側から室内側に水圧が作用すると、扉体２は、２重丁番２７によって、図３、図４の閉鎖姿勢からさらに室内側に押し付けられるように移動して、図１０〜図１２の姿勢となる。図１１に示すように、扉体２の戸先側と戸尻側がほぼ同じように室内側に押し込まれている。水位の高さに応じて水圧は扉体２の下方部位に作用するので、図１０に示すように、扉体２の下方部位が上方部位に比べて室内側に押し込まれている。
【００３６】
閉鎖姿勢にある扉体２の室外側面部２０に水圧が作用すると、扉体２の室内側面部２１の四周の周縁及び扉体２の室内側の角部が、四周状の水密部材の膨出部５に当接して、当該膨出部５を室内側へ押圧する。膨出部５は、台座６に接近する方向に潰れるように変形して、壁部５０の内面が中実の台座６に当接する。中実の台座６は、変形した膨出部５を介して室内側へ押されるが、基部４及び台座６は溝部Ｇ１〜Ｇ４の底面１０４〜１３４に向かって幾分圧縮されたとしても、台座６の突出姿勢は維持される（図１０〜図１２参照）。したがって、中実の台座６が突っ張った状態で、変形した膨出部５の壁部５０（正面部分５００）の内面を支持し、このように内側から支持された壁部５０（正面部分５００）の外面に扉体２の室内側面部２１及び室内側の角部が密着状に当接する。
【００３７】
図１２を参照しつつ、より具体的に説明する。なお、以下に述べる扉体２の戸先側部位における水密構造についての記載は、扉体２の戸尻側部位、下側部位、上側部位の水密構造に援用することができる。扉体２の室外側面部２０に水圧が作用して、扉体２の室内側面部２１及び室内側の角部（室内側面部２１と戸先側面部２３との角部）が水密部材の膨出部５を室内側へ押し込んだ時に、潰れるように変形した膨出部５の壁部５０の正面部分５００の内面が台座６の正面部分６０に当接するが、この時、壁部５０の正面部分５００は室外側に向かう突出姿勢の台座６の正面部分６０によって裏当てされており、正面部分５００は、内面に台座６の正面部分６０が当接し、外面に扉体２の室内側面部２１及び室内側の角部が密着した状態で、扉体２と台座６との間に挟持される。
【００３８】
扉体２の室外側面部２０に水圧が作用した場合であっても、中実の台座６の突出姿勢は維持される。図６と図１２を対比すると明らかなように、扉体２の室内側面部２０に水圧が作用することで、膨出部５が押しつぶされ、台座６及び基部４が溝部Ｇ２の底面１１４に向かって幾分圧縮されるが、台座６は室外側に向かう突出姿勢が維持されている。台座６は圧縮されて短縮され得るが、台座６の正面部分６０は、溝部Ｇ２の開口（室内側見込面１１３の室外側端部１１３１を通る垂直面によって規定される）よりも、室外側に位置している。したがって、水圧によって台座６及び基部４が底面１１４側に押し込まれ、台座６及び基部４が圧縮された場合であっても、常時、突出姿勢を維持した台座６が膨出部５の正面部分５００の内面に突っ張った状態で当接しているので、扉体２の室内側面部２１と膨出部５の正面部分５００の密着状態が良好に維持される。扉体２の室内側面部２１に押圧されて膨出部５が潰れて台座６に当接した状態では、膨出部５の外面と室内側面部２１との間に隙間が生じるような膨出部５の変形が規制されている。
【００３９】
水圧の作用によって膨出部５が容易に潰れることで、扉体２の室内側面部２１及び室内側の角部（室内側面部２１と戸先側面部２３との角部）と、潰れて変形した膨出部５と、がより強固に密着して、扉体２とドア枠１との隙間を水密に閉塞する。さらに、図１２に示すように、フィン５２のみならず、潰れるように変形した膨出部５の壁部５０の第２側面部分５０２が戸先側縦枠１１の外側見込面１１２に接触し、第１側面部分５０１が室内側見込面１１３の室外側端部１１３１の近傍に接触する。
【００４０】
本発明に係る他の実施形態を図１３、図１４に示す。上述の実施形態では、四周状の水密部材３は、ドア枠１側に形成された四周状の凹溝Ｇ１〜Ｇ４に装着されているが、図１３、図１４に示す実施形態では、四周状の水密部材３´は、扉体２の室内側面部２１の周縁に四周状に形成され、室内側に向かって開口する凹溝Ｇ１´〜Ｇ４´に装着されている。凹溝Ｇ１´は、扉体２の上面部２２と室内側面部２１の上方縁部との間に形成されており、凹溝Ｇ２´は、扉体２の戸先側面部２３と室内側面部２１の戸先側縁部との間に形成されており、凹溝Ｇ３´は、扉体２の戸尻側面部２４と室内側面部２１の戸尻側縁部との間に形成されており、凹溝Ｇ４´は、扉体２の下面部２５と室内側面部２１の下方縁部との間に形成されている。水密部材３´の具体的な構成については、既述の記載を援用することができるので詳細な説明は省略する。水密部材３´の膨出部５は、外力が作用しない状態では扉体２の室内側面部２１より突出している。ドア枠１を構成する上枠１０、戸先側縦枠１１、戸尻側縦枠１２、下枠１３の見込面は段部状になっており、見込方向の中間部位に室外側に面する四周状の戸当たり面１０５、１１５、１２５、１３５が形成されている。扉体２が閉鎖姿勢にある時には、四周状の水密部材３´の四周状の膨出部５が、四周状の戸当たり面１０５、１１５、１２５、１３５に接触する（図１３、図１４参照）。この状態から水圧によって扉体２が室内側に押圧された時の水密部材３´の作用については、既述の記載を援用することができる。
【符号の説明】
【００４１】
１  ドア枠
２  扉体
２１  室内側面部
３  水密部材
３´  水密部材
３Ｆ  第１部分（垂直部分）
３Ｇ  第２部分（水平部分）
４  基部
５  膨出部
５１  中空部
５２  フィン
６  台座
Ｇ１〜Ｇ４  溝部
Ｇ１´〜Ｇ４´  溝部
【図１】
0006557051.tif 000002
【図２】
0006557051.tif 000003
【図３】
0006557051.tif 000004
【図４】
0006557051.tif 000005
【図５】
0006557051.tif 000006
【図６】
0006557051.tif 000007
【図７】
0006557051.tif 000008
【図８】
0006557051.tif 000009
【図９】
0006557051.tif 000010
【図１０】
0006557051.tif 000011
【図１１】
0006557051.tif 000012
【図１２】
0006557051.tif 000013
【図１３】
0006557051.tif 000014
【図１４】
0006557051.tif 000015
【図１５】
0006557051.tif 000016
【図１６】
0006557051.tif 000017